(57)【要約】【課題】ウェブサイトの利用者に最新情報を的確に提供するだけでなく、ウェブサイトに参加している各店舗に最新情報を積極的に投稿させて、サイト利用者の注目度を高めていくことが可能な情報表示システムを実現する。【解決手段】トップページ１０上には、矩形状をした各加盟店舗のバナー１３がマトリックス状に配置して表示されており、バナー１３をクリックすると、バナー１３とリンクした加盟店舗のウェブページが表示される。加盟店舗が新情報を投稿し、当該加盟店舗の情報が更新されると、当該加盟店舗のバナー１３は、最上行の左端のＡの位置に配置される。そして、他の加盟店舗の情報が更新されるたびに、当該加盟店舗のバナー１３は、当該行の右側へ順に移動し、次いで下の行の左端から右端へ順に移動する（矢印Ｓの方向）。また、トップページ１０の左サイドは情報欄１１となっており、全加盟店舗を通じて最新の情報が上から順に表示される。【選択図】図３
0003126393.tif 000002
【実用新案登録請求の範囲】
【請求項１】
ウェブサイトに加盟している店舗が発信する情報を、インターネットを介して当該ウェブサイトの利用者の端末装置に表示されたウェブページ上に表示する情報表示システムであって、
前記ウェブページ上に前記加盟店舗のバナーをマトリックス状に配置して表示することを特徴とする情報表示システム。
【請求項２】
加盟店舗の情報が更新されると、当該加盟店舗のバナーを最上行の左端に配置し、他の加盟店舗の情報が更新されるたびに、当該加盟店舗のバナーを当該行の右側へ順に移動させ、次いで下の行の左端から右端へ順に移動させることを特徴とする請求項１に記載の情報表示システム。
【請求項３】
加盟店舗の情報が更新されると、当該加盟店舗のバナーに、更新された情報を表示することを特徴とする請求項１または２に記載の情報表示システム。
【請求項４】
加盟店舗の情報が更新された時点から所定時間が経過すると、新たに情報を更新しない限り、当該加盟店舗について予め初期設定で設定した画像を当該加盟店舗のバナーに表示することを特徴とする請求項３に記載の情報表示システム。
【考案の詳細な説明】
【技術分野】
【０００１】
本考案は、ウェブサイトに加盟している店舗が発信する情報を、インターネットを介して当該ウェブサイトの利用者の端末装置に表示されたウェブページ上に表示する情報表示システムに関する。
【背景技術】
【０００２】
近年、インターネット等のコンピュータ・ネットワークの普及に伴い、複数の店舗が参加する電子モールと呼ばれるウェブサイトに、パーソナルコンピュータ等の端末装置からアクセスし、商品やサービスの購入などを行う電子モールシステムが実用に供されている（例えば、特許文献１参照）。
【特許文献１】特開２００２−９２３５７号公報
【考案の開示】
【考案が解決しようとする課題】
【０００３】
電子モールのような数多くの店舗が参加しているウェブサイトでは、店舗ごとに情報が更新されるため、ウェブサイトの利用者に最新情報を的確に提供できるシステムを構築する必要がある。
また、ウェブサイトに参加している各店舗に最新情報を積極的に投稿させることにより、ウェブサイトを魅力的なものとし、サイト利用者の注目度を高めていく必要がある。
【０００４】
本考案は、上述する課題に鑑みてなされたもので、ウェブサイトの利用者に最新情報を的確に提供するだけでなく、ウェブサイトに加盟している各店舗に最新情報を積極的に投稿させて、サイト利用者の注目度を高めていくことが可能な情報表示システムを実現することを目的とする。
【課題を解決するための手段】
【０００５】
上記目的を達成するため、本考案は、ウェブサイトに加盟している店舗が発信する情報を、インターネットを介して当該ウェブサイトの利用者の端末装置に表示されたウェブページ上に表示する情報表示システムであって、前記ウェブページ上に前記加盟店舗のバナーをマトリックス状に配置して表示することを特徴としている。
本考案では、ウェブページ上に加盟店舗のバナーをマトリックス状に配置して表示するので、ウェブサイトの利用者は画面をスクロールさせずに数多くの加盟店舗の情報を見ることができる。
【０００６】
また、本考案では、加盟店舗の情報が更新されると、当該加盟店舗のバナーを最上行の左端に配置し、他の加盟店舗の情報が更新されるたびに、当該加盟店舗のバナーを当該行の右側へ順に移動させ、次いで下の行の左端から右端へ順に移動させるようにすることが好ましい。
本考案では、情報の更新日時が新しい加盟店舗のバナーほど上方行の左側に配置し、情報の更新日時が古い加盟店舗のバナーほど下方行の右側に配置しているので、ウェブサイトの利用者は情報が更新された加盟店舗を直ちに把握することができる。
【０００７】
また、本考案では、加盟店舗の情報が更新されると、当該加盟店舗のバナーに、更新された情報を表示するようにしてもよい。
本考案では、更新された情報を加盟店舗のバナーに表示するようにしているので、加盟店舗のバナーを見ただけで更新情報を把握することができる。
【０００８】
また、本考案では、加盟店舗の情報が更新された時点から所定時間が経過すると、新たに情報を更新しない限り、当該加盟店舗について予め初期設定で設定した画像を当該加盟店舗のバナーに表示するようにしてもよい。
本考案では、加盟店舗の情報が更新された時点から所定時間が経過すると、新たに情報を更新しない限り、当該加盟店舗について予め初期設定で設定した画像が当該加盟店舗のバナーに表示されるので、各加盟店舗は自分の店舗のウェブページにアクセスしてもらうために、積極的に情報を発信するようになる。その結果、サイト利用者の注目度を高めていくことができる。
【考案の効果】
【０００９】
本考案では、ウェブページ上に加盟店舗のバナーをマトリックス状に配置して表示するので、ウェブサイトの利用者は画面をスクロールさせずに数多くの加盟店舗の情報を見ることができる。しかも、情報の更新日時が新しい加盟店舗のバナーほど上方行の左側に配置し、情報の更新日時が古い加盟店舗のバナーほど下方行の右側に配置しているので、ウェブサイトの利用者は情報が更新された加盟店舗を直ちに把握することができる。
【考案を実施するための最良の形態】
【００１０】
以下、本考案に係る情報表示システムの実施形態について図面に基づいて説明する。
図１は、本考案に係る情報表示システムの構成を示したものである。
サーバ１は、ＷＷＷ（Ｗｏｒｌｄ  Ｗｉｄｅ  Ｗｅｂ）システムにおいて情報送信を行うコンピュータであり、ＨＴＭＬファイルや画像などを蓄積し、ウェブブラウザなどのクライアントソフトウェアの要求に応じて、電気通信回線を通じて、蓄積された情報を送信する機能を有している。
複数の店舗が加盟するウェブサイトは、このサーバ１上に構築されており、サーバ１にはインターネット２を介して、加盟店舗の携帯端末装置３や端末装置３ａ、さらにはウェブサイトの利用者の端末装置４が接続される。ここで、携帯端末装置３は、携帯電話機やＰＤＡ（Ｐｅｒｓｏｎａｌ  Ｄｉｇｉｔａｌ  Ａｓｓｉｓｔａｎｔｓ）などの総称であり、端末装置３ａ、４は、パーソナルコンピュータなどの総称である。
【００１１】
サーバ１のデータベースには、加盟店舗ごとに、店舗名、ＩＤ、パスワード、リンク先ＵＲＬ、電話番号などが登録されており、各加盟店舗は、携帯端末装置３や端末装置３ａを用いてサーバ１にアクセスし、ＩＤおよびパスワードを入力した後、図２に示す情報投稿画面から新規情報を投稿することができる。また、この情報投稿画面では、新規情報の入力だけでなく、過去に投稿した情報の修正や削除を行うこともできる。
【００１２】
図３は、ウェブサイトのトップページのレイアウトを示したものである。
ウェブサイトの利用者の端末装置４に表示されるトップページ１０（ウェブページ）上には、矩形状をした各加盟店舗のバナー１３が、ｍ行×ｎ列のマトリックス状に配置して表示されており、バナー１３をクリックすると、バナー１３とリンクした加盟店舗のウェブページが表示される。
加盟店舗が新規情報を投稿し、当該加盟店舗の情報が更新されると、当該加盟店舗のバナー１３は、最上行の左端のＡの位置に配置される。そして、他の加盟店舗の情報が更新されるたびに、当該加盟店舗のバナー１３は、当該行の右側へ順に移動し、次いで下の行の左端から右端へ順に移動する（矢印Ｓの方向）。
【００１３】
加盟店舗の情報が更新されると、更新された情報の一部が当該加盟店舗のバナー１３に表示される。しかし、加盟店舗の情報が更新された時点から所定時間が経過すると、新たに情報を更新しない限り、当該加盟店舗について予め初期設定で設定した画像が当該加盟店舗のバナー１３に表示される。このため、各加盟店舗は、自分の店舗のウェブページにアクセスしてもらうため、積極的に情報を発信するようになる。その結果、ウェブサイトの内容が充実し、サイト利用者の注目度が高まっていくことになる。
【００１４】
また、トップページ１０の左サイドは情報欄１１となっており、全加盟店舗を通じて最新の情報が上から順に表示される。この欄もバナー１３と同様、最新情報１４が更新されると、当該最新情報１４は最上位のＢの位置に配置され、最新情報１４が更新されるたびに、過去の最新情報１４は順に下方に移動する（矢印Ｔの方向）。
【００１５】
図４は、加盟店舗のウェブページのレイアウトを示したものである。
バナー１３とリンクした加盟店舗のウェブページ１２は、上段１５、中段１６、下段１７の三段から構成されており、上段１５に、更新された最新情報の全文が掲載される。中段１６には、当該加盟店舗の過去の情報のリストが表示され、各情報をクリックすると当該情報について詳細が表示される。また、下段１７には、ＰＲＥＶボタン１８とＮＥＸＴボタン１９が配置されており、当該ウェブページ１２の店舗に限らず、時系列に沿った全情報へ移動するボタンとなっている。
【００１６】
なお、加盟店舗のウェブページ１２の左サイドは情報欄１１とされ、トップページ１０に表示したものと同じ最新情報１４が表示される。
【００１７】
本実施形態による情報表示システムでは、トップページ１０上に加盟店舗のバナー１３をマトリックス状に配置して表示するので、ウェブサイトの利用者は画面をスクロールさせずに数多くの加盟店舗の情報を見ることができる。しかも、情報の更新日時が新しい加盟店舗のバナー１３ほど上方行の左側に配置し、情報の更新日時が古い加盟店舗のバナー１３ほど下方行の右側に配置しているので、ウェブサイトの利用者は情報が更新された加盟店舗を直ちに把握することができる。即ち、最新でない情報を、ウェブサイトの利用者の目に、なるべく触れさせないようにすることで、ウェブサイトの利用者が最新情報を直ちに把握できるようにしている。
【００１８】
以上、本考案に係る情報表示システムの実施形態について説明したが、本考案は上記の実施形態に限定されるものではなく、その趣旨を逸脱しない範囲で適宜変更可能である。例えば、上記の実施形態では、バナーの形状を矩形としているが、円形や楕円形など他の形状でもよい。また、上記の実施形態では、情報欄を左サイドに配置しているが、右サイドに配置してもよい。
【図面の簡単な説明】
【００１９】
【図１】本考案に係る情報表示システムの構成を示す模式図である。
【図２】情報投稿画面の一図である。
【図３】ウェブサイトのトップページのレイアウトを示す図である。
【図４】加盟店舗のウェブページのレイアウトを示す図である。
【符号の説明】
【００２０】
１  サーバ
２  インターネット
３  携帯端末装置
３ａ、４  端末装置
１０  トップページ
１１  情報欄
１２  ウェブページ
１３  バナー
１４  最新情報
１５  上段
１６  中段
１７  下段
１８  ＰＲＥＶボタン
１９  ＮＥＸＴボタン
【図１】
0003126393.tif 000003
【図２】
0003126393.tif 000004
【図３】
0003126393.tif 000005
【図４】
0003126393.tif 000006
【手続補正書】
【提出日】平成18年8月18日(2006.8.18)
【手続補正１】
【補正対象書類名】実用新案登録請求の範囲
【補正対象項目名】全文
【補正方法】変更
【補正の内容】
【実用新案登録請求の範囲】
【請求項１】
ウェブサイトに加盟している店舗が発信する情報を、インターネットを介して当該ウェブサイトの利用者に表示する情報表示システムであって、
前記ウェブサイトが構築されるサーバと、前記ウェブサイトのウェブページ上において前記加盟店舗のバナーをマトリックス状に配置して表示する端末装置とを備えることを特徴とする情報表示システム。
【請求項２】
加盟店舗の情報が更新されると、前記端末装置は、当該加盟店舗のバナーを最上行の左端に配置し、他の加盟店舗の情報が更新されるたびに、当該加盟店舗のバナーを当該行の右側へ順に移動させ、次いで下の行の左端から右端へ順に移動させて表示することを特徴とする請求項１に記載の情報表示システム。
【請求項３】
加盟店舗の情報が更新されると、前記端末装置は、当該加盟店舗のバナーに、更新された情報を表示することを特徴とする請求項１または２に記載の情報表示システム。
【請求項４】
加盟店舗の情報が更新された時点から所定時間が経過すると、新たに情報を更新しない限り、前記端末装置は、当該加盟店舗について予め初期設定で設定した画像を当該加盟店舗のバナーに表示することを特徴とする請求項３に記載の情報表示システム。
【手続補正２】
【補正対象書類名】明細書
【補正対象項目名】０００５
【補正方法】変更
【補正の内容】
【０００５】
上記目的を達成するため、本考案は、ウェブサイトに加盟している店舗が発信する情報を、インターネットを介して当該ウェブサイトの利用者に表示する情報表示システムであって、前記ウェブサイトが構築されるサーバと、前記ウェブサイトのウェブページ上において前記加盟店舗のバナーをマトリックス状に配置して表示する端末装置とを備えることを特徴としている。
本考案では、ウェブページ上に加盟店舗のバナーをマトリックス状に配置して表示するので、ウェブサイトの利用者は画面をスクロールさせずに数多くの加盟店舗の情報を見ることができる。
【手続補正３】
【補正対象書類名】明細書
【補正対象項目名】０００６
【補正方法】変更
【補正の内容】
【０００６】
また、本考案では、加盟店舗の情報が更新されると、前記端末装置において、当該加盟店舗のバナーを最上行の左端に配置し、他の加盟店舗の情報が更新されるたびに、当該加盟店舗のバナーを当該行の右側へ順に移動させ、次いで下の行の左端から右端へ順に移動させて表示させるようにすることが好ましい。
本考案では、情報の更新日時が新しい加盟店舗のバナーほど上方行の左側に配置し、情報の更新日時が古い加盟店舗のバナーほど下方行の右側に配置しているので、ウェブサイトの利用者は情報が更新された加盟店舗を直ちに把握することができる。
【手続補正４】
【補正対象書類名】明細書
【補正対象項目名】０００７
【補正方法】変更
【補正の内容】
【０００７】
また、本考案では、加盟店舗の情報が更新されると、前記端末装置が、当該加盟店舗のバナーに、更新された情報を表示するようにしてもよい。
本考案では、更新された情報を加盟店舗のバナーに表示するようにしているので、加盟店舗のバナーを見ただけで更新情報を把握することができる。
【手続補正５】
【補正対象書類名】明細書
【補正対象項目名】０００８
【補正方法】変更
【補正の内容】
【０００８】
また、本考案では、加盟店舗の情報が更新された時点から所定時間が経過すると、新たに情報を更新しない限り、前記端末装置が、当該加盟店舗について予め初期設定で設定した画像を当該加盟店舗のバナーに表示するようにしてもよい。
本考案では、加盟店舗の情報が更新された時点から所定時間が経過すると、新たに情報を更新しない限り、当該加盟店舗について予め初期設定で設定した画像が当該加盟店舗のバナーに表示されるので、各加盟店舗は自分の店舗のウェブページにアクセスしてもらうために、積極的に情報を発信するようになる。その結果、サイト利用者の注目度を高めていくことができる。